(57)【特許請求の範囲】
【請求項１】
液透過性のトップシ−トと、液不透過性のバックシ−トと、これら両シート間に配置された吸収体とを有する吸収性本体と、前記吸収性本体が少なくとも一部分で接合され、着用時に着用者の腹から腰回りを囲んで吸収性本体を着用者に当てて保持する外装部材とからなり、前記外装部材の前身頃と後身頃の相対する両側縁部を接合してウエスト周り開口部と一対の脚周り開口部を形成し、前記開口部に沿って伸縮弾性部材が配置されたパンツ型使いすておむつにおいて、
前記外装部材に切り離し線を設け、前記吸収性本体を外部から取り外し可能としたことを特徴とするパンツ型使いすておむつ。
【請求項２】
前記切り離し線上の少なくとも一部分に接合部材を設けることを特徴とする請求項１記載のパンツ型使いすておむつ。
【請求項３】
前記外装部材の前記切り離し線に挟まれた部分の少なくとも一部分が伸縮性シートであることを特徴とする請求項１または請求項２記載のパンツ型使いすておむつ。
【発明の詳細な説明】
【０００１】
【発明の属する技術分野】
本発明は使いすておむつに関し、更に詳しくは予めパンツ型に形成されている使いすておむつに関するものである。
【０００２】
【従来の技術】
従来、使いすておむつとしては、例えば、特開昭５７−７７３０４号公報に開示されているような、フラットタイプのおむつのサイドフラップにおいて着用時に左右の側腹部に当たる部分を予め接合固定させておき、ウエスト周り開口部と脚周り開口部を設けたいわゆるパンツ型使いすておむつが考案されている。
また、このようなパンツ型使いすておむつにおいて、両脚周りの開口部、ウエスト周り開口部、更に脚周り開口部に着用者へのおむつの追従性やフィット性を高めるために伸縮弾性が付与されており、実開平３−１６９２０号公報、特開平４−２８３６３号公報等に記載されている。
このようなパンツ型使いすておむつは着用者による着脱や着用者が立った状態での着脱が容易に可能で、幼児のおむつ離れの時期、または失禁者等の成人用としても需要が増大してきている。
【０００３】
【発明が解決しようとする課題】
パンツ型使いすておむつを、立った状態で取り外すときに、排泄物が着用者の脚に付着したり、衣服や周囲を汚すことがある。これは、一般的にパンツ型使いすておむつは、前身頃と後身頃が接合されている両側縁部の一方から取り外されるために、排泄物が付着している股下部分は不安定になること、着脱する人の片手（パンツ型使いすておむつを取り外すときは、もう一方の手は側縁部にあるため）では、使いすておむつ全体は扱いにくいことなどにより、トップシート上の排泄物の移動や飛散が生じ、排泄物が周囲に漏れやすくなるからである。
また、吸収性本体と外装部材とからなるパンツ型使いすておむつを、ゴミとして廃棄するときに、吸収性本体は排泄物による臭いや衛生上の問題から、家庭内で密封することが好ましいゴミであるが、外装部材は排泄物が付着していなければ、一般のゴミとして扱える。しかし、吸収性本体と外装部材の取り外しができないと、一緒に密封する注意が必要であり、衛生上からもこのゴミの量が多くなることは好ましくない。
【０００４】
本発明の目的は上記課題を解決し、着用状態のままで吸収性本体を取り外すことを可能として、おむつを立った状態で取り外すときに、排泄物が着用者の脚に付着したり、周囲に漏れてしまうことを防止することができ、また家庭内に密封するべきゴミの量を減らすことのできるパンツ型使いすておむつを提供することにある。
【０００５】
【課題を解決するための手段】
本発明は、液透過性のトップシ−トと、液不透過性のバックシ−トと、これら両シート間に配置された吸収体とを有する吸収性本体と、前記吸収性本体が少なくとも一部分で接合され、着用時に着用者の腹から腰回りを囲んで吸収性本体を着用者に当てて保持する外装部材とからなり、前記外装部材の前身頃と後身頃の相対する両側縁部を接合してウエスト周り開口部と一対の脚周り開口部を形成し、前記開口部に沿って伸縮弾性部材が配置されたパンツ型使いすておむつにおいて、
前記外装部材に切り離し線を設け、前記吸収性本体を外部から取り外し可能としたことを特徴とするパンツ型使いすておむつに関する。
また本発明は、前記切り離し線上の少なくとも一部分に接合部材を設けることを特徴とするパンツ型使いすておむつに関する。
さらに本発明は、前記外装部材の前記切り離し線に挟まれた部分の少なくとも一部分が伸縮性シートであることを特徴とするパンツ型使いすておむつに関する。
【０００６】
【発明の実施の形態】
本発明のパンツ型使いすておむつは、排泄物を吸収する吸収性本体と、前記吸収性本体を着用者に当てて保持する外装部材とからなり、前記外装部材には、切り離し線が形成されていて、前記吸収性本体を外部から取り外し可能としている。このような構成の本発明のパンツ型使いすておむつは、着脱する人が外装部材にある切り離し線を破くことにより、着用状態のままで排泄物の付着している吸収性本体を取り外すことができる。切り離し線は吸収性本体の近傍にあるため、両手で破く作業ができ、排泄物が付着している股下部分は不必要にずれることがなく、トップシート上の排泄物の移動や飛散を防ぎ、排泄物が着用者の脚に付着したり、周囲に漏れてしまうことを防止できるものである。また、家庭内に密封するべきゴミは、排泄物が付着した吸収性本体のみであるので、このゴミの量を減らすことができ、衛生上も好ましい。
このとき、前記切り離し線上の少なくとも一部分に接合部材を設けることにより、切り離し線が着用中に破れることを防止するとともに、使用後の排泄物の付着した吸収性本体をトップシート側を内側にして廃棄するための接合部材として使用することが可能であり、衛生上においてもより好ましい。
さらに、前記外装部材の前記切り離し線に挟まれた部分の少なくとも一部分を伸縮性シートとすることにより、吸収性本体を取り外すときは、外装部材を一部分を破いた後に、その部分を引っ張ると手前に伸び、吸収性本体を直接もしくは外装部材越しに手で掴んだり、保持することができるようになり、吸収性本体をより安定させた状態で、外装部材を引き破ることができる。また、外装部材と吸収性本体の接合部分が取り外せるのならば、吸収性本体のみの取り外しがさらに容易になる。
【０００７】
【実施例】
以下、図面を参照にして本発明を詳細に説明するが、本発明はこれらにより限定されるものではない。
【０００８】
図１は本発明のパンツ型使いすておむつの着用状態の外観を表す斜視図である。本発明のパンツ型使いすておむつ１は、前身頃４と後身頃５の相対する両側縁部がサイドシーム６により接着閉鎖され脚周り開口部２とウエスト周り開口部３を形成し、ウエスト周り開口部３に沿ってウエスト周り伸縮弾性部材７が、脚周り開口部２に沿って脚周り伸縮弾性部材８が配置されており、さらに外装部材９には切り離し線１１が設けられている。
【０００９】
図２は図１で示した本発明のパンツ型使いすておむつ１を切り離し線１１に沿って破いて吸収性本体１０を取り外した状態を示す斜視図である。吸収性本体１０と外装部材９の一部が取りはずされ、残りのおむつ１２は着用状態のままである。
【００１０】
図３は図１で示した本発明のパンツ型使いすておむつ１の中央部を前後方向に沿って切断した状態を示す縦断面図である。液透過性のトップシート１３と液不透過性のバックシート１４との間に吸収体１５を配置して、吸収性本体１０が形成されており、さらに吸収性本体１０は、２枚のシートからなる外層部材９に接合されている。
【００１１】
図４は図１とは異なる本発明のパンツ型使いすておむつ１の着用状態の外観を表す斜視図である。外層部材９に形成された切り離し線１１上に接合部材１６が設けられている。
【００１２】
図５は図４で示した本発明のパンツ型使いすておむつ１を切り離し線１１を破いて吸収性本体１０を取り外した状態を示す斜視図である。吸収性本体１０はトップシート側を内側にして丸められ、接合部材１６を外装部材９に接合して固定されている。
【００１３】
図６は図１、図４とは異なる本発明のパンツ型使いすておむつ１の着用状態の外観を表す斜視図である。図１、図４と異なり、外装部材９の切り離し線１１に挟まれた部分の一部（斜線部分）に伸縮性シート１７を用いている。
【００１４】
図７は図６で示した本発明のパンツ型使いすておむつ１を切り離し線１１を破いた後、外装部材９を手前に引いた状態を示す斜視図である。伸縮性シート１７が伸び、吸収性本体１０が手に掴みやすいように、手前に出てきている。
【００１５】
外装部材
本発明の外装部材には、切り離し線が設けられ、吸収性本体が取り出せるようになっている。切り離し線は、切れ目、スリット、ミシン目、あるいはこれらを組み合わせて形成することができ、その形状は、直線、曲線あるいはそれらの組み合わせであっても良く、複数本の線であっても良く、それらが互いに交錯しても構わない。
切り離し線は、吸収性本体を取り外すことができれば外装部材のどの位置に設けられていても構わないが、外装部材の吸収性本体を配置した位置において、吸収性本体の輪郭に沿って切り離し線を設けると、吸収性本体の取り出しが容易になるので好ましい。
【００１６】
本発明では、容易に切り離し線を破くことができるように、取っ手を外装部材に設けることができる。取っ手を引っ張ることにより、外装部材の任意方向に力を加えることが容易になり、切り離し線を破きやすくなる。取っ手は、外装部材のシートを延長して設けても良いし、外装部材に別部材を接合して設けても構わない。取っ手には、テープ、不織布等を用いることができるが、特に限定されるものではない。この取っ手は、切り離し線に近接して配置され、切り離し線による破れにおいて、着用状態から引き離される側の外装部材に接合されていることが好ましい。取っ手は長いほど掴みやすくなるが、使いすておむつ着用時に、取っ手が剥がれたり、誤って取っ手を引っ張ることで切り離し線が破けたりしないように、取っ手を折り畳んだり、取っ手に接着剤等を塗布することが好ましい。
【００１７】
本発明では、切り離し線上の少なくとも一部分に接合部材を設けることができる。この接合部材により、切り離し線が着用中に破れることを防止することができる。また、接合部材を前記取っ手として使用することを可能とするならば、容易に切り離し線を破くことができるようになり、好ましい。さらに、接合部材を使用後の排泄物の付着した吸収性本体をトップシート側を内側にして廃棄するための接合部材として使用することも可能とするならば、廃棄時の処理が簡便になり、衛生上においてもより好ましくなる。
【００１８】
外装部材は、ポリエチレン、ポリプロピレン、ポリエステル等の熱可塑性樹脂を原料とした合成繊維からなる不織布等を用いることができ、撥水性を有するものがより好ましい。また、不織布等の良好な通気性を有するシートを用いるならば、着用中に汗が使いすておむつ内部に滞留することなく、下着を着用した感覚に似た極めて良好な着用感が得られるためにさらに好ましい。
【００１９】
本発明では、前記外装部材の前記切り離し線に挟まれた部分の少なくとも一部分を伸縮性シートとすることができる。切り離し線によって外装部材の一部分を引き破るとき、破いた部分を引っ張ると伸縮性により手前に伸び、吸収性本体を直接もしくは外装部材越しに手で掴んだり、保持することができる。これによって、吸収性本体を安定させることができ、まだ破いていない切り離し線を容易に引き破ることができる。また、このとき、外装部材と吸収性本体の接合部分が取り外せるのならば、着用状態のまま吸収性本体のみを掴んで、外装部材から取り外すことができる。
【００２０】
トップシート
使用されるトップシートとしては、ポリエチレンや、ポリプロピレン、ポリエステル、あるいはその他の熱可塑性樹脂を原料とした合成繊維からなる不織布等の液透過性のシートを用いることができる。また、親水性繊維とパルプ繊維等からなる水崩壊性不織布も用いることができる。この場合は、トップシートを吸収性本体から分離可能とすることにより、トップシート及びそれに付着した排泄物はトイレに流すことができ、衛生的に好ましい。
【００２１】
バックシート
使用されるバックシートとしては、ポリエチレンシートや、好ましくは、透湿性を付与するための微孔を設けたポリエチレンシートや、熱可塑性樹脂にフィラーを加えて延伸した透湿性のあるシート、あるいはこれらに不織布シートを貼り合わせたもの等の液不透過性のシートを用いることができる。
【００２２】
吸収体
使用される吸収体は、綿状パルプ、高吸収性高分子物質、合成繊維、熱溶融成分、接着剤及び親水性シート等からなる液体保持性を有するものであるが、特に制限されるものではない。前記吸収体の形状は、砂時計型、矩形、Ｔ字型等特に制限はなく、股下にフィットする形状であれば良い。必要に応じて、吸収体を圧縮しても良い。
【００２３】
本発明の吸収体の構成は、例えば、綿状パルプを主成分とする層単独でも良く、また、この層の下部に綿状パルプに高吸収性高分子物質を均一に混合した層を設けても良く、さらに、この２層間に、高吸収性高分子物質を層状に散布しても良い。このような構造にすることで更に多量の尿を吸収、保持することができる。
【００２４】
吸収体を構成する綿状パルプとしては、化学パルプ、機械パルプあるいは化学機械パルプのシートを粉砕機で綿状にしたものが挙げられる。パルプ原料としては、針葉樹に限らず広葉樹等の木材パルプ、麻等の非木材パルプも適用される。パルプ原料は、目的とする吸収体により、単独又は複数を混合、積層して用いても良い。
【００２５】
また、綿状パルプとともに、合成繊維、熱溶融成分、接着剤等を配合しても良く、３〜６０重量％の熱融着性物質を混合して、熱圧着しても良い。熱溶融成分としては、ポリプロピレン、ポリエチレン、ポリエステル、ポリビニリデン、アクリル樹脂、ナイロン樹脂等が挙げられる。または、ポリエステル、ポリプロピレン、ポリエチレン等の２成分以上からなる複合繊維でも良い。
【００２６】
高吸収性高分子物質としては、例えばデンプン系、セルロース系、合成ポリマー系のものが挙げられるが、自重の２０倍以上の尿、体液及び水を吸収するもので、ポリアクリル酸ナトリウム系のものが吸収性能の点から最も好ましい。高吸収性高分子物質は、層状に散布しても良いし、綿状パルプ内に均一に、あるいは不均一に分布していても良い。
【００２７】
さらに、トップシートと吸収体の間に着用者の排泄物をより早く拡散させるための拡散層を設けても良い。該拡散層は、ポリエステル、ポリプロピレン等からなる液透過性の不織布、織布、多孔性プラスチックフィルム、多孔性フォーム、網状フォーム等が使用できる。
【００２８】
【発明の効果】
以上説明したように、本発明のパンツ型使いすておむつは、吸収性本体と外装部材とから構成され、外装部材には、切り離し線が形成されているため、着用状態のままで吸収性本体を外部から取り外すことが可能であり、パンツ型使いすておむつを立った状態で外すときに、排泄物が着用者の脚に付着したり、周囲に漏れてしまうことを防止することができ、また家庭内に密封するべきゴミの量を減らすことができる。
【図面の簡単な説明】
【図１】本発明のパンツ型使いすておむつの斜視図
【図２】図１に示したパンツ型使いすておむつの切り離し線を破き、吸収性本体を取り外した状態を示す斜視図
【図３】図１に示したパンツ型使いすておむつの中央部を前後方向に沿って切断した状態を示す縦断面図
【図４】図１とは異なる例を示すパンツ型使いすておむつの斜視図
【図５】図４に示したパンツ型使いすておむつの切り離し線を破き、吸収性本体を外した後に、吸収性本体をトップシート側を内側にして丸めた状態を示す斜視図
【図６】図１及び図４とは異なる例を示すパンツ型使いすておむつの斜視図
【図７】図６に示したパンツ型使いすておむつの切り離し線を破き、外装部材を手前に引っ張った状態を示す斜視図
【符号の説明】
１：パンツ型使いすておむつ
２：脚周り開口部
３：ウエスト周り開口部
４：前身頃
５：後身頃
６：サイドシーム
７：ウエスト周り伸縮弾性部材
８：脚周り伸縮弾性部材
９：外装部材
１０：吸収性本体
１１：切り離し線
１２：吸収性本体を取り外されたおむつ
１３：トップシート
１４：バックシート
１５：吸収体
１６：接合部材
１７：伸縮性シート
【図１】
0003891684.tif 000002
【図２】
0003891684.tif 000003
【図３】
0003891684.tif 000004
【図４】
0003891684.tif 000005
【図５】
0003891684.tif 000006
【図６】
0003891684.tif 000007
【図７】
0003891684.tif 000008